(57)【要約】【課題】風向板の裏面での結露の発生を抑制しつつ、室内機の吹出口から送風される調和された空気の到達距離が低減することを抑制する。【解決手段】吹出口１６０に配置され、室内機１００の内部から吹出口１６０に送風される空気２００を表面１１１で受けて、この空気２００を表面に沿って流動させることにより、吹出口１６０からの空気の送風方向を変更可能な風向板１１０と、風向板１１０の裏面１１２側に風向板１１０と間隔を置いて対向して配置される補助風向板１４０とを備えている。風向板１１０は、室内機１００の内部から吹出口に送風される空気２００の一部２２０が風向板１１０の表面１１１から裏面１１２に通過可能な貫通孔１３０を有している。補助風向板１４０は、貫通孔１３０を通過した空気２２０を表面１４１で受けて、この空気２２０を風向板１１０の裏面１１２に沿って流動させる。【選択図】図６
2012021704.tif 000002
【特許請求の範囲】
【請求項１】
室内機の吹出口から調和された空気が送風される空気調和機であって、
前記吹出口に配置され、前記室内機の内部から前記吹出口に送風される空気を表面で受けて、該空気を前記表面に沿って流動させることにより、前記吹出口からの空気の送風方向を変更可能な風向板と、
前記風向板の裏面側に前記風向板と間隔を置いて対向して配置される補助風向板と
を備え、
前記風向板は、前記室内機の内部から前記吹出口に送風される空気の一部が前記風向板の表面から裏面に通過可能な貫通孔を有し、
前記補助風向板は、前記貫通孔を通過した空気を表面で受けて、該空気を前記風向板の裏面に沿って流動させる、空気調和機。
【請求項２】
前記補助風向板は、前記室内機の内部から前記吹出口に送風される空気の送風方向に前記貫通孔を投影した領域を含む位置に配置されている、請求項１に記載の空気調和機。
【請求項３】
前記風向板の裏面と前記補助風向板の表面との間の間隔においては、前記吹出口からの空気の送風方向の風下側の方が風上側の方より広くなっている、請求項１または２に記載の空気調和機。
【発明の詳細な説明】
【技術分野】
【０００１】
本発明は、空気調和機に関し、特に、空気調和機の室内機に関する。
【背景技術】
【０００２】
室内機の空気吹出口に風向板が配置された空気調和機においては、吹出口から下向きに冷風が送風される際に、室内機の内部から吹出口に送風された空気が風向板の表面に吹き付けられることになる。このとき、吹出された空気を直接受ける風向板の表面側と、その反対側である風向板の裏面側とでは、気流の差によって気圧差が生じる。
【０００３】
風向板の裏面側は気圧が低くなるため、室内の多湿な空気が風向板の裏面側に巻き込まれる。風向板の裏面側に巻き込まれた多湿な空気は、吹出口に送風された冷風で冷却された風向板と接触することにより冷却されるため、風向板の裏面に結露が発生する。その結果、室内の床に結露水が滴下する。
【０００４】
この問題を解決するために、孔が設けられた風向板を備えた空気調和機を開示した先行文献として、特許文献１がある。特許文献１に記載された空気調和機においては、室内機の内部から吹出口に送風される空気の一部を風向板に設けられた孔を通して風向板の裏面に通過させている。その結果、風向板の裏面側に室内の多湿な空気が巻き込まれることを低減して、風向板の裏面に結露が発生することを抑制している。
【先行技術文献】
【特許文献】
【０００５】
【特許文献１】特開昭６１−１６８７４３号公報
【発明の概要】
【発明が解決しようとする課題】
【０００６】
風向板に孔が設けられた場合、室内機の内部から吹出口に送風された空気の一部は、その孔を通過した後、風向板から剥離して流れるため、所望の送風方向へ風向板の表面に沿って流動される空気の風量が減少する。そのため、室内機の吹出口から送風される調和された空気の到達距離が短くなる。
【０００７】
本発明は上記の問題点に鑑みてなされたものであって、冷房運転時および除湿運転時など冷風を吹出す際に、風向板の裏面での結露の発生を抑制しつつ、室内機の吹出口から送風される調和された空気の到達距離が低減することを抑制することができる、空気調和機を提供することを目的とする。
【課題を解決するための手段】
【０００８】
本発明に基づく空気調和機は、室内機の吹出口から調和された空気が送風される空気調和機である。空気調和機においては、吹出口に配置され、室内機の内部から吹出口に送風される空気を表面で受けて、この空気を表面に沿って流動させることにより、吹出口からの空気の送風方向を変更可能な風向板と、風向板の裏面側に風向板と間隔を置いて対向して配置される補助風向板とを備えている。風向板は、室内機の内部から吹出口に送風される空気の一部が風向板の表面から裏面に通過可能な貫通孔を有している。補助風向板は、貫通孔を通過した空気を表面で受けて、この空気を風向板の裏面に沿って流動させる。
【０００９】
好ましくは、補助風向板は、室内機の内部から吹出口に送風される空気の送風方向に貫通孔を投影した領域を含む位置に配置されている。
【００１０】
本発明の一形態においては、風向板の裏面と補助風向板の表面との間の間隔においては、吹出口からの空気の送風方向の風下側の方が風上側の方より広くなっている。
【発明の効果】
【００１１】
本発明によれば、冷房運転時および除湿運転時など冷風を吹出す際に、風向板の裏面での結露の発生を抑制しつつ、室内機の吹出口から送風される調和された空気の到達距離が低減することを抑制することができる。
【図面の簡単な説明】
【００１２】
【図１】本発明の実施形態１に係る空気調和機の室内機の外観を示す正面図である。
【図２】同実施形態に係る空気調和機の室内機の外観を示す斜視図である。
【図３】同実施形態に係る空気調和機の室内機の構成を示す断面図である。
【図４】同実施形態に係る風向板を表面から見た図である。
【図５】同実施形態に係る風向板を裏面から見た図である。
【図６】同実施形態に係る空気調和機の運転中の状態における室内機の構成を示す断面図である。
【図７】図６の風向板を拡大して示す図である。
【図８】本発明の実施形態２に係る空気調和機の室内機に備えられた風向板を正面から見た状態を示す図である。
【図９】同実施形態に係る空気調和機の運転中の状態における室内機の構成を示す断面図である。
【図１０】図９の風向板を拡大して示す図である。
【発明を実施するための形態】
【００１３】
以下、本発明の実施形態１に係る空気調和機について図面を参照して説明する。以下の実施形態の説明においては、図中の同一または相当部分には同一符号を付して、その説明は繰返さない。
【００１４】
実施形態１
図１は、本発明の実施形態１に係る空気調和機の室内機の外観を示す正面図である。図２は、本実施形態に係る空気調和機の室内機の外観を示す斜視図である。図１および２においては、空気調和機の運転停止中の状態を示している。
【００１５】
図１，２に示すように、本実施形態に係る空気調和機の室内機１００においては、空気調和機の運転停止中には、吹出口として筐体１２０に設けられた開口部を閉鎖している風向板１１０が設けられている。室内機１００の外形を構成している側が、風向板１１０の表面である。
【００１６】
図３は、本実施形態に係る空気調和機の室内機の構成を示す断面図である。図４は、本実施形態に係る風向板を表面から見た図である。図５は、本実施形態に係る風向板を裏面から見た図である。なお、本実施形態において、図３に示すように室内機の風向板が閉じた状態で、風向板および補助風向板の室内機の内側に面している側を裏面、風向板および補助風向板の室内機の外側に面している側を表面とする。
【００１７】
図３から５に示すように、室内機１００の吹出口１６０に配置された風向板１１０には、風向板１１０の表面から裏面に貫通した貫通孔１３０が設けられている。貫通孔１３０は、風向板１１０の長手方向の幅の略全体に亘って延在している。風向板１１０の裏面側に風向板１１０と間隔を置いて対向して補助風向板１４０が配置されている。
【００１８】
本実施形態においては、風向板１１０と補助風向板１４０とは、樹脂の射出成形により一体で形成されている。具体的には、風向板１１０の裏面の一部から立設された立設部１８０が、補助風向板１４０の一部と繋がっている。立設部１８０の一部に軸受部となる開口１７０が設けられ、開口１７０内に軸部１５０が挿通されている。軸部１５０の両端は、筐体１２０に支持されている。よって、風向板１１０と補助風向板１４０とは、軸部１５０を回転軸として、同時に回転可能である。
【００１９】
図６は、本実施形態に係る空気調和機の運転中の状態における室内機の構成を示す断面図である。図７は、図６の風向板を拡大して示す図である。
【００２０】
図６，７に示すように、空気調和機の運転中には、調和された空気が室内機の吹出口１６０から所望の送風方向に送風されるようにするために、風向板１１０と補助風向板１４０とは、運転停止中の状態から軸部１５０を回転軸として回転されて、所定の位置で停止される。このとき、風向板１１０は、室内機１００の内部から吹出口１６０に送風される空気２００を表面で受けるように配置されている。風向板１１０の表面１１１で受けられた空気が、風向板１１０の表面１１１に沿って流動させられて送風方向が変更されることにより、吹出口１６０から所望の方向に調和された空気２１０が送風される。
【００２１】
風向板１１０には、貫通孔１３０が設けられているため、室内機１００の内部から吹出口１６０に送風される空気２００の一部２２０が、貫通孔１３０を通って、風向板１１０の表面１１１から裏面１１２に通過する。
【００２２】
図７に示すように、補助風向板１４０は、室内機１００の内部から吹出口１６０に送風される空気２００の送風方向に貫通孔１３０を投影した領域を含む位置に配置されている。図７においては、上記の投影された領域は、２本の二点鎖線で挟まれている領域である。このように補助風向板１４０が配置されることにより、補助風向板１４０は、貫通孔１３０を通過した空気２００の一部２２０のほとんどを表面１４１で受けることができる。
【００２３】
図６に示すように、補助風向板１４０の表面１４１で受けられた空気２３０は、補助風向板１４０の表面１４１に沿って流動させられて送風方向が変更されることにより、風向板１１０の裏面１１２に沿って流動させられる。このように、補助風向板１４０が設けられることにより、室内機１００の吹出口１６０から送風される調和された空気が、風向板１１０から剥離することが低減される。
【００２４】
なお、本実施形態においては、補助風向板１４０の表面１４１と風向板１１０の裏面１１２との間の間隔は、吹出口１６０からの空気が風向板１１０に沿って流れる送風方向である、図６で空気２１０および空気２３０の流れを示す矢印方向において、風上側の間隔Ｌ1と風下側の間隔Ｌ2とは、略同等の長さである。
【００２５】
図６に示すように、貫通孔１３０を通過した空気２００の一部２２０が、風向板１１０の裏面１１２に沿って、風向板１１０の裏面１１２における風下側端部３００の結露が発生しやすい位置を流動する。そのため、風向板１１０の裏面１１２側に外気を巻き込むことが低減され、風向板１１０の裏面１１２に結露が発生することが抑制される。
【００２６】
また、風向板１１０の表面１１１に沿って流動する空気２１０、および、風向板１１０の裏面１１２に沿って流動する空気２３０の両方とも、風向板１１０から剥離せずに送風されるため、吹出口１６０から所望の風向に送風される風量の減少が低減される。
【００２７】
なお、本実施形態においては、補助風向板１４０は、表面１４１の面積が貫通孔１３０の面積よりも大きくなるように設けられている。また、補助風向板１４０は、表面１４１の面積が風向板１１０の表面１１１の面積に比較して１／６以上１／５以下程度となるように設けられている。ただし、補助風向板は、表面１４１の面積が風向板１１０の表面１１１の面積より小さく貫通孔１３０の面積より大きければ、どのような大きさであってもよい。
【００２８】
図３に示すように、補助風向板１４０は、空気調和機の停止中において室内機１００の吹出口１６０を閉鎖している状態において、貫通孔１３０に対して斜め右上方に位置している。そのため、室内機１００の斜め下方から人が室内機１００を視認した際に、補助風向板１４０により視線が遮断されるため、室内機１００の内部が貫通孔１３０から見えないようにすることができる。その結果、風向板１１０に貫通孔１３０が設けられることによる、空気調和機の停止中におけるデザイン性の低下が抑制される。
【００２９】
図６に示すように、補助風向板１４０は、空気調和機の運転中において、室内機１００の内部から吹出口１６０に送風される空気２００の送風方向に、風向板１１０の貫通孔１３０を投影した領域を含む位置に配置されている。そのため、室内機１００を水平方向に視認した際に、風向板１１０の貫通孔１３０が、補助風向板１４０により遮られて見えなくなるため、空気調和機の運転中における外観のデザイン性が維持される。
【００３０】
上記のように本実施形態に係る空気調和機においては、冷房運転時および除湿運転時など冷風を吹出す際に、風向板１１０の裏面１１２での結露の発生を抑制しつつ、室内機１００の吹出口１６０から送風される調和された空気の到達距離が低減することを抑制することができる。
【００３１】
以下、本発明の実施形態２に係る空気調和機について図面を参照して説明する。
実施形態２
図８は、本発明の実施形態２に係る空気調和機の室内機に備えられた風向板４１０を正面から見た状態を示す図である。図９は、本実施形態に係る空気調和機の運転中の状態における室内機の構成を示す断面図である。図１０は、図９の風向板を拡大して示す図である。
【００３２】
図８に示すように、本実施形態に係る風向板４１０には、風向板４１０の表面から裏面に貫通した複数の貫通孔４３０が設けられている。複数の貫通孔４３０は、風向板４１０の長手方向の幅の略全体に亘って、互いに所定の間隔を置いて配置されている。実施形態１のように貫通孔１３０を風向板１１０の長手方向の幅の略全体に亘って延在するように形成した場合に比較して、複数の貫通孔４３０を間隔を置いて配置することにより、風向板４１０の強度が向上される。
【００３３】
図９，１０に示すように、本実施形態に係る室内機４００の補助風向板４４０は、風向板４１０に対して傾いて配置されている。言い換えると、風向板４１０の裏面４１２と補助風向板４４０の表面４４１との間の間隔においては、吹出口１６０からの空気の送風方向の風下側の方が風上側の方より広くなっている。
【００３４】
具体的には、補助風向板４４０の表面４４１と風向板４１０の裏面４１２との間の間隔は、吹出口１６０からの空気の送風方向である、図９で空気２１０および空気２３０の流れを示す矢印方向において、風下側の間隔Ｌ3は風上側の間隔Ｌ1より広くなっている。
【００３５】
この構成により、図９に示すように、風向板４１０の裏面４１２に沿って流動させられる空気２３０の一部２４０は、補助風向板４４０の表面４４１に沿って流動させられて、風向板４１０から剥離する。その結果、調和された空気が吹出口１６０から送風される範囲が広くなる。よって、本実施形態の空気調和機は、所望の送風方向に送風される空気の到達距離の低減を抑制しつつ、広い範囲に調和された空気を送風することができる。さらに、本実施形態の空気調和機においては、冷房運転時および除湿運転時など冷風を吹出す際に、風向板４１０の裏面４１２に結露が発生することが抑制される。他の構成については、実施形態１と同様であるため説明を繰返さない。
【００３６】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００３７】
１００，４００  室内機、１１０，４１０  風向板、１１１，１４１，４４１  表面、１１２，４１２  裏面、１２０  筐体、１３０，４３０  貫通孔、１４０，４４０  補助風向板、１５０  軸部、１６０  吹出口、１７０  開口、１８０  立設部、２００，２１０，２３０  空気、２２０，２４０  一部の空気、３００  風下側端部。
【図１】
2012021704.tif 000003
【図２】
2012021704.tif 000004
【図３】
2012021704.tif 000005
【図４】
2012021704.tif 000006
【図５】
2012021704.tif 000007
【図６】
2012021704.tif 000008
【図７】
2012021704.tif 000009
【図８】
2012021704.tif 000010
【図９】
2012021704.tif 000011
【図１０】
2012021704.tif 000012